(57)【要約】【課題】目の不自由なユーザでも容易に各種電子装置の操作を行うことができるようにする。【解決手段】カードのスロットへの挿入を検出したときは（ステップＳ１のＹ）、カードに記録されているデジタル複写機に対する操作の内容をカード識別部で読み取って、ＲＡＭに記録する（ステップＳ２）。その後、スタートキーを押下すると（ステップＳ６のＹ）、ＲＡＭに記録したデジタル複写機に対する操作の内容をデジタル複写機のメイン制御装置に送信する。これにより、メイン制御装置では、カードから読み取った操作の内容を理解し、その操作の内容（「ソート」、「集約」、「拡大」、「縮小」など）を実行する。【選択図】    図５
2004264971.tif 000002
【特許請求の範囲】
【請求項１】
所定の装置に対する操作を受け付けて、この受け付けた操作の内容を前記装置に送信する操作装置において、
記録媒体に記録されている前記操作の内容を指示する情報を読み取る読取装置と、
この読み取った情報を前記所定の装置に送信する送信手段と、
を備えていることを特徴とする操作装置。
【請求項２】
前記記録媒体の有無を検出する検出手段と、
前記検出がなされたときは前記読取装置で読み取った前記操作の内容を指示する情報を読み上げる音声出力装置と、
をさらに備え、
前記送信手段は、前記読み上げの後に所定の操作を受け付けたことを条件に前記送信手段による前記送信を実行する、
ことを特徴とする請求項１に記載の操作装置。
【請求項３】
前記記録媒体に記録されている複数の前記操作の内容のうちいずれかを選択する操作を受け付ける受付手段をさらに備え、
前記送信手段は、この受付けを行ったときは前記選択した操作の内容について前記送信手段による前記送信を実行する、
ことを特徴とする請求項１又は２に記載の操作装置。
【請求項４】
所定の装置に対する操作を受け付けて、この受け付けた操作の内容を前記装置に送信する操作装置において、
記録媒体を読み取る読取装置と、
不揮発性の記憶装置と、
前記操作の内容を指示する情報を前記読取装置で記録情報が読み取り可能である特定の記録媒体と関連付けて前記記憶装置に記憶する関連付け手段と、
前記読取装置で読み取った前記記録媒体と関連付けられて記憶されている前記操作の内容を指示する情報を読み出す読出し手段と、
この読み出した情報を前記所定の装置に送信する送信手段と、
を備えていることを特徴とする操作装置。
【請求項５】
前記関連付け手段は、前記記憶装置に前記記録媒体と関連付けられて記憶されている前記操作の内容を指示する情報が存在するときは当該情報を更新して、前記記録媒体と前記操作の内容を指示する情報とを関連付けて前記記憶装置に記憶する、ことを特徴とする請求項４に記載の操作装置。
【請求項６】
本装置を前記所定の装置とする請求項１〜５のいずれかの一に記載の操作装置を、備えていることを特徴とする電子装置。
【請求項７】
画像データに基づいて媒体上に画像形成を行うプリンタエンジンと、
本装置を前記所定の装置とする請求項１〜５のいずれかの一に記載の操作装置と、
を備えていることを特徴とする画像形成装置。
【請求項８】
原稿の画像を読み取る画像入力装置をさらに備え、
前記プリンタエンジンは、前記読み取り後の画像データに基づいて前記画像形成を行うこと、
を特徴とする請求項７に記載の画像形成装置。
【発明の詳細な説明】
【０００１】
【発明の属する技術分野】
本発明は、対象とする装置に対する操作を受け付けて、この受け付けた操作の内容を当該装置に送信する操作装置、並びに、この操作装置を備えた電子装置及び画像形成装置に関する。
【０００２】
【従来の技術】
特許文献１には、電話番号を記録しているカードから電話番号を読み取って、その読み取った電話番号に発信する電話発信システムについて開示されている。
【０００３】
また、特許文献２，３においても、カードから情報を読み取る技術が開示されている。
【０００４】
【特許文献１】
特開平８−２３７３５３号公報
【特許文献２】
特開平８−２４１４３８号公報
【特許文献３】
特開２０００−０７９７４４公報
【０００５】
【発明が解決しようとする課題】
近年、デジタル複写機等の電子装置は大型ＬＣＤ（液晶ディスプレイ）を有し、その上にタッチパネルが実装したものが存在する。ユーザはＬＣＤ上の表示内容を確認し、選択したい機能の表示部分を触ることにより、タッチパネルにより位置が検出され、その機能の操作が選択され、設定される。
【０００６】
しかしながら、健常者にとっては、表示内容を確認しながら機能を選択できるため非常に使いやすいが、弱視や全盲などの目の不自由な人にとっては、ＬＣＤ上の表示内容を読み取ることが困難なため、必要な機能の操作を選択して設定することが困難であるという不具合がある。
【０００７】
これに対し、特許文献１においては、電話を発信する際、電話番号を入力しなくともカードから読み取ることができるという点にとどまるものであり、デジタル複写機等の電子装置において、その装置の操作をタッチパネル等の操作を行わずに実行することはできない。
【０００８】
また、特許文献１〜３に開示の技術では、必要な情報をカードに記憶しているため、その情報を別の場所でカード記録用の専用の記録装置によりカードに記録し、あるいは、操作の対象となるデジタル複写機等の電子装置において当該記録装置を備えていなければならず、煩雑であり、また、記録装置が必要となる分だけ製造コストが増大するという不具合もある。さらに、カードに記録された情報が破損した場合などには用いることができないという不具合もある。
【０００９】
この発明の目的は、目の不自由なユーザでも容易に各種電子装置の操作を行うことができるようにすることである。
【００１０】
この発明の別の目的は、この場合に、カードなどの記録媒体に記録するための専用の記録装置などを不要とし、また、これら記録媒体に記録した情報の破損にも対応できるようにすることである。
【００１１】
【課題を解決するための手段】
請求項１に記載の発明は、所定の装置に対する操作を受け付けて、この受け付けた操作の内容を前記装置に送信する操作装置において、記録媒体に記録されている前記操作の内容を指示する情報を読み取る読取装置と、この読み取った情報を前記所定の装置に送信する送信手段と、を備えていることを特徴とする操作装置である。
【００１２】
したがって、操作対象となる所定の装置に対する操作の内容を媒体から読み取って、その情報を操作対象となる所定の装置に送信するので、タッチパネル、ハードキーなどの手動操作を行うことなく装置の操作を実行することができ、目の不自由なユーザでも容易に装置の操作を行うことができる。
【００１３】
請求項２に記載の発明は、請求項１に記載の操作装置において、前記記録媒体の有無を検出する検出手段と、前記検出がなされたときは前記読取装置で読み取った前記操作の内容を指示する情報を読み上げる音声出力装置と、をさらに備え、前記送信手段は、前記読み上げの後に所定の操作を受け付けたことを条件に前記送信手段による前記送信を実行する、ことを特徴とする。
【００１４】
したがって、記録媒体に記録されている操作の内容を音声で認識できるので、目の不自由なユーザが記録媒体の種類を誤ることがなく、また、記録媒体の種類をその形状や点字などにより触覚的に判別できない場合でも対応することができる。
【００１５】
請求項３に記載の発明は、請求項１又は２に記載の操作装置において、前記記録媒体に記録されている複数の前記操作の内容のうちいずれかを選択する操作を受け付ける受付手段をさらに備え、前記送信手段は、この受付けを行ったときは前記選択した操作の内容について前記送信手段による前記送信を実行する、ことを特徴とする。
【００１６】
したがって、単一の記録媒体を用いて複数の操作内容から所望のものを選択することができるので、複数の記録媒体から必要な操作内容のものを選び出す煩雑な作業が不要となり、また、大量の記録媒体を保管するスペースも不要となる。
【００１７】
請求項４に記載の発明は、所定の装置に対する操作を受け付けて、この受け付けた操作の内容を前記装置に送信する操作装置において、記録媒体を読み取る読取装置と、不揮発性の記憶装置と、前記操作の内容を指示する情報を前記読取装置で記録情報が読み取り可能である特定の記録媒体と関連付けて前記記憶装置に記憶する関連付け手段と、前記読取装置で読み取った前記記録媒体と関連付けられて記憶されている前記操作の内容を指示する情報を読み出す読出し手段と、この読み出した情報を前記所定の装置に送信する送信手段と、を備えていることを特徴とする操作装置である。
【００１８】
したがって、記録媒体に関連付けられている操作の内容を読み出して、その情報を操作対象となる所定の装置に送信するので、タッチパネル、ハードキーなどの手動操作を行うことなく装置の操作を実行することができ、目の不自由なユーザでも容易に装置の操作を行うことができる。また、その操作内容の情報は記録媒体からではなく本装置の記憶装置から読み出すので、記録媒体に記録するための専用の記録装置などを不要とし、また、これら記録媒体に記録した情報の破損にも対応できる。
【００１９】
請求項５に記載の発明は、請求項４に記載の操作装置において、前記関連付け手段は、前記記憶装置に前記記録媒体と関連付けられて記憶されている前記操作の内容を指示する情報が存在するときは当該情報を更新して、前記記録媒体と前記操作の内容を指示する情報とを関連付けて前記記憶装置に記憶する、ことを特徴とする。
【００２０】
したがって、記憶装置に記憶されている操作の内容を更新することができる。
【００２１】
請求項６に記載の発明は、本装置を前記所定の装置とする請求項１〜５のいずれかの一に記載の操作装置を、備えていることを特徴とする電子装置である。
【００２２】
したがって、プリンタ、スキャナ、ファクシミリ、複写機などの各種電子装置に本発明の操作装置を適用することができる。この電子装置は、画像データに基づいて媒体上に画像形成を行うプリンタエンジンと、本装置を前記所定の装置とする請求項１〜５のいずれかの一に記載の操作装置と、を備えていることを特徴とする画像形成装置とし（請求項７）、さらに、原稿の画像を読み取る画像入力装置をさらに備え、前記プリンタエンジンは、前記読み取り後の画像データに基づいて前記画像形成を行うこと、を特徴とする画像形成装置（請求項８）とすることもできる。
【００２３】
【発明の実施の形態】
［発明の実施の形態１］
本発明の一実施の形態を発明の実施の形態１として説明する。
【００２４】
図１は、本実施の形態のデジタル複写機の全体構成を示すブロック図である。図１に示すように、このデジタル複写機１は、所定の装置や、本発明の電子装置、画像形成装置に相当し、原稿の画像を読み取る画像入力装置２と、この読み取った画像の画像データに対して各種の画像処理を施す画像処理装置３と、この画像処理後の画像データに基づいて転写紙などの媒体上に画像形成するプリンタエンジン４と、この画像形成装置４に転写紙を供給する給紙装置５と、デジタル複写機１の各種操作を受け付け、また、各種メッセージをＬＣＤ１０（図２参照）に表示する操作装置６と、マイクロコンピュータを中心に構成され、デジタル複写機１の全体を集中的に制御するメイン制御装置７を備えている。なお、画像形成装置４の印刷方式は、電子写真方式のほか、インクジェット方式、昇華型熱転写方式、銀塩写真方式、直接感熱記録方式、溶融型熱転写方式などさまざまな方式を適用することができる。
【００２５】
図２は、操作装置６の電気的な接続を示すブロック図であり、図３は、操作装置６の操作パネル面の平面図である。この操作装置６は、各種のメッセージを表示するＬＣＤ１０と、ＬＣＤ１０上に実装されるタッチパネル１１と、タッチパネル１１以外のテンキーなどからなるハードキー１２（スタートキー１２ａを含む）と、音声ガイダンスを出力するための音声合成回路１３と、音声合成回路１３で作成された音声ガイダンスの音声を出力するスピーカ１４（音声合成回路１３とスピーカ１４とで音声出力装置を実現する）と、メイン制御装置７の制御を受けて、入力装置４の全体を集中的に制御するＣＰＵ１５と、ＣＰＵ１５が実行する各種制御プログラムや音声合成のためのデータなどの固定データを格納するＲＯＭ１６と、ＣＰＵ１５の作業エリアとなる記憶装置であるＲＡＭ１７と、スロット１９に挿入された記録媒体となるカード２１（図４参照）の記録内容を読み取る読取装置であるカード識別部１８と、を備えている。さらに、メイン制御装置７の通信を行う図示しないインターフェイスも備えている。
【００２６】
操作装置６には、図４に示すような複数枚のカード２１が付属している。各々のカード２１には、デジタル複写機１の異なる機能、例えば、「ソート」、「集約」、「拡大」、「縮小」などが割り当てられている。
【００２７】
このカード２１は、例えば磁気カードであって、この場合のカード識別部１８は磁気カードリーダーであり、スロット１９へ挿入されたカード２１に磁気的に記録されている情報を読み取ることができる。この記録情報は、デジタル複写機１に対する操作の内容（「ソート」、「集約」、「拡大」、「縮小」など）を指示する情報である。
【００２８】
カード２１には、表面に「ソート」、「集約」、「拡大」、「縮小」といった操作の内容の名称２２を印刷するほか、点字でもその内容を表示しておく。これにより、利用者はカード２１の点字をなぞる、もしくは、印刷された機能の名称２１により、当該カード２１に磁気的に記録されているデジタル複写機１の操作の種類の判別が可能となる。
【００２９】
次に、操作装置６が実行する処理の内容について、図５のフローチャートを参照して説明する。まず、ＣＰＵ１５は、カード２１の挿入の有無をカード識別部１８の周知の検出装置により検出して検出手段を実現でき、カード２１のスロット１９への挿入を検出したときは（ステップＳ１のＹ）、カード２１に記録されているデジタル複写機１に対する操作の内容をカード識別部１８で読み取って、ＲＡＭ１７に記録する（ステップＳ２）。また、タッチパネル１１又はハードキー１２の有効なキーにより、デジタル複写機１に対する操作がなされた場合も（ステップＳ３，Ｓ４）、カード２１に記録されているデジタル複写機１に対する操作の内容をカード識別部１８で読み取って、ＲＡＭ１７に記録する（ステップＳ５）。そして、スタートキー１２ａを押下すると（ステップＳ６のＹ）、ステップＳ２，Ｓ５でＲＡＭ１７に記録したデジタル複写機１に対する操作の内容をメイン制御装置７に送信して、送信手段を実現する（ステップＳ７）。これにより、メイン制御装置７では、カード２１から読み取った、あるいはタッチパネル１１又はハードキー１２で入力された操作の内容を理解し、その操作の内容（「ソート」、「集約」、「拡大」、「縮小」など）を実行することが可能となる。
【００３０】
また、図５の処理に代えて図６の処理を実行するようにしてもよい。図６の処理が図５の処理と相違するのは、前述のステップＳ１〜Ｓ７の処理に、ステップＳ８〜Ｓ１０を追加した点にある（ステップＳ１〜Ｓ７については、前述の説明と共通であるため、詳細な説明を省略する）。すなわち、ＣＰＵ１５は、カード２１の挿入を検出したときに（ステップＳ１のＹ）、カード識別部１８で読み取った操作の内容を音声合成回路１３で音声にし、スピーカ１４より出力することにより、ユーザに報知する（ステップＳ８）。これにより、「ソート」、「集約」、「拡大」、「縮小」などのカード２１から読み取られた機能が読み上げられるので、ユーザは、読み上げられた操作内容が選択したものであった場合、テンキー１２の“＃”キーを押下して、その読み上げられた操作内容を選択する操作を行う（ステップＳ９のＹ）。このステップＳ９のＹの操作がなされたことを条件に、カード２１に記録されているデジタル複写機１に対する操作の内容をカード識別部１８で読み取って、ＲＡＭ１７に記録するので（ステップＳ５）、その後のメイン制御装置７への送信（ステップＳ７）が実行可能となる。また、“＃”キーが押下されることなく（ステップＳ９のＮ）、カード２１がスロット１９から引き抜かれたことを検出したときは（ステップＳ１０のＹ）、ステップＳ３に移行する。
【００３１】
なお、その後に異なる操作の内容を追加して設定したい場合には、カード２１を抜き、追加したい機能のカード２１を挿入して、前述と同様の処理を実行する。
【００３２】
また、この例では、送信実行手段による操作内容の確定を“＃”キーの押下としたが（ステップＳ９）、当然別のキーでも、あるいはタッチパネル１１のキーの押下であっても構わない。あるいは音声認識機能を持たせ、音声による選択を行うことも当然可能である。
【００３３】
設定する操作の内容が１つである場合には、カード２１を挿入したままでスタートキー１２ａを押下することで、“＃”キーなどを押下しなくても操作の内容が確定したとみなすこともできる。
【００３４】
さらに、ステップＳ８では、操作内容を読み上げるだけではなく、その後に、『この機能でよろしいですか？よろしければ“＃”キーを押してください』などという、操作を促すガイダンスメッセージをスピーカ１４より出力することも好適である。
【００３５】
図６の処理に代えて図７の処理を行うようにしてもよい。図７の処理が図６の処理と相違するのは、前述のステップＳ１〜Ｓ１０の処理に、ステップＳ１１〜Ｓ１４を追加した点にある（ステップＳ１〜Ｓ１０については、前述の説明と共通であるため、詳細な説明を省略する）。すなわち、ＣＰＵ１５は、カード２１の挿入を検出したときに（ステップＳ１のＹ）、挿入されたカード２１が、複数の操作の内容から実行したいものを選択できる機能を有するものであった場合（ステップＳ１１のＹ）、その選択可能な操作の内容を音声合成回路１３、スピーカ１４により読み上げる（ステップＳ１２）。
【００３６】
例えば、拡大の機能を実行する操作の内容が記録され、その拡大のサイズを複数の選択肢から選択できるカード２１が挿入された場合、『拡大です。Ａ４をＡ３に拡大するには“１”を、Ａ４をＢ４に拡大するには“２”を、Ｂ４をＡ３に拡大するには“３”を、その他の倍率の場合には“＃”キーを押下後、倍率をテンキーで入力してください。キャンセルする場合には、カードを抜いてください』といったメッセージをスピーカ１４より出力する。
【００３７】
この場合に、例えば、“１”のテンキーが押下された場合には、『Ａ４をＡ３に拡大、ですね？よろしければ、“＃”キーを押してください』といったメッセージを出力し、操作内容の選択を確定させる“＃”キーが押下されれば（ステップＳ１３のＹ）、その操作の内容の選択で確定し（受付手段）、その確定した操作の内容がＲＡＭ１７に記憶される（ステップＳ２）。また、カード２１がスロット１９から引き抜かれたときは（ステップＳ１４のＹ）、ステップＳ３に進む。
【００３８】
挿入されたカード２１が、複数の操作の内容から実行したいものを選択できる機能を有するものでなかった場合には（ステップＳ１１のＮ）、ステップＳ８に進み、図６の場合と同様の処理が実行される。
【００３９】
この例では、テンキーで操作内容の選択を確定させるようにしたが、テンキー以外のハードキー１２やタッチパネル１１のキーを使用するようにしてもよい。あるいは、カード２１の挿入時に『拡大です。Ａ４をＡ３へ拡大します。その他の倍率へ変更するには、“＊”キーを、この倍率でよければ、“＃”キーを押してください』といったガイダンスを音声出力し、“＊”キーが押されるごとに、選択肢を変更し、“＃”キーで確定させるというような操作も好適である。
【００４０】
［発明の実施の形態２］
本発明の別の実施の形態を発明の実施の形態２として説明する。
【００４１】
本実施の形態におけるデジタル複写機１、操作装置６のハードウエア構成は、図８に示すように、操作装置６が不揮発性の記憶装置である不揮発性メモリ３１を備えていること等以外は、図１〜図３を参照して説明した実施の形態１のものと同様であり、以下の説明では実施の形態１と同様の符号を用い、新たな図示や詳細な説明は省略する。
【００４２】
次に、本実施の形態のデジタル複写機１が実行する処理の内容について説明する。
【００４３】
このデジタル複写機１においても、前述の図５、図６又は図７の処理を実行する。よって、例えば、ソートと集約の操作を設定したい場合、「ソート」のカード２１を挿入し、操作の内容を確定した後、「集約」のカード２１を挿入し、さらに２枚集約、４枚集約等を選択し、設定することとなる。通常は、更に部数等を設定した後にスタートキー１２ａが押下されると、ＣＰＵ１５は設定された操作の内容をメイン制御装置７へ送信し、デジタル複写機１から指定部数がソートされて印刷出力される。
【００４４】
この操作装置８においては、図４を参照して説明したカード２１の他に、図９に示す特定カード３２を用いることができる。この特定カード３２は、カード２１と同様に、記録されているデジタル複写機１の操作の内容をカード識別部１８で読み取ることができるほかに、カード識別部１８によりデジタル複写機１の操作の内容を新たに（例えば磁気的に）記録することもできる記録媒体である。この特定カード３２においても、例えば、「特定カードＡ」や「特定カードＢ」のように名称３３が印刷等がされているほか、他のカード２１，３２との違いが触覚的に分かるような形状とされ、あるいは点字印刷がなされている。
【００４５】
次に、本デジタル複写機１に特有の処理の内容について、図１０のフローチャートを参照して説明する。まず、図５、図６又は図７を参照して説明した一連の処理が終了した後などに、ユーザは、スロット１９に特定カード３２を挿入する。
【００４６】
ユーザがスロット１９に所定のカードを挿入したことを検出したときは（ステップＳ２１のＹ）、このカードが特定カード３２か否かを判断する（例えば、各カード２１，３２には、特定カード３２であるか否かを示す情報を記録しておけば判断可能である）（ステップＳ２２）。特定カード３２ではない（ステップＳ２２のＮ）、すなわち、通常のカード２１であったときは、図５、図６又は図７に移行して（ステップＳ２３）、一連の処理を終了する。
【００４７】
特定カード３２であったときは（ステップＳ２２のＹ）、その特定カード３２と関連付けて、デジタル複写機１の操作の内容を指定する情報が不揮発性メモリ３１に記録されているか否かを判断し（この情報の記録については後述する）（ステップＳ２４）、記録されていないときは（ステップＳ２４のＮ）、音声合成回路１３、スピーカ１４により、『このカードには操作内容が登録されていません。現在の設定内容を登録しますか？』といったようなメッセージを発する（ステップＳ２５）。ハードキー１２、タッチパネル１１などにより、ユーザが“はい”を選択すると（ステップＳ２６のＹ）、ＲＡＭ１７に記録されているデジタル複写機１の現在の操作の内容を不揮発メモリ１９に特定カード３２と対応づけて記憶して関連付け手段を実現し（ステップＳ２７）、一連の処理を終了する。この場合に、特定カード３２の種類ごとにあらかじめ特定カード３２に識別情報が記録されているとすれば、その識別情報と関連付けてデジタル複写機１の現在の操作の内容を不揮発メモリ１９に記憶すればよい。
【００４８】
そして、その後、同一の特定カード３２をスロット１９に挿入して、図１０の処理が実行され、ステップＳ２４で特定カード３２に対応して登録された内容が存在していたときは（ステップＳ２４のＮ）、『このカードには操作内容が登録されています。登録されている操作に設定しますか？』といったメッセージをスピーカ１４より出力する（ステップＳ２８）。このとき、あわせて記憶されている操作の内容を読み上げるようにしてもよい。そして、ユーザがタッチパネル１１やハードキー１２により“はい”を選択した場合には（ステップＳ２９のＹ）、特定カード３２に記憶された操作の内容が読み取られて、ＲＡＭ１７に記憶されることで、読出し手段を実現する（ステップＳ３０）。そして、スタートキー１２ａの押下により（ステップＳ３１のＹ）、ＲＡＭ１７に記憶されているデジタル複写機１の操作の内容がメイン制御装置７に送信され、これにより送信手段が実現されて（ステップＳ３２）、その操作内容がデジタル複写機１で実行される。
【００４９】
ステップＳ２９で“いいえ”を選択した場合には（ステップＳ２９のＮ）、『カードに対応した登録の内容を更新しますか？』などというメッセージを音声出力し（ステップＳ３３）、ユーザが“はい”を選択すると（ステップＳ３４のＹ）、ＲＡＭ１７に記憶されているデジタル複写機１の現在の操作内容で特定カード３２に記憶する操作の内容を更新して、関連付け手段を実現する（ステップＳ３５）。
【００５０】
なお、Ｓ３３〜Ｓ３５の処理を実行せず、ステップＳ２９のＮの場合に一連の処理を終了させるようにしてもよい。
【００５１】
このようにして、特定カード３２にはさまざまなデジタル複写機１の操作の内容を登録し、また、それを更新することができる（図１１参照）。
【００５２】
また、図１０の処理のほかに図１２の処理を実行するようにしてもよい。すなわち、ＣＰＵ１５は、デジタル複写機１に対する何の操作も選択されていない初期状態にあるか否かを判断し（ステップＳ４１）、このような初期状態にないときは（ステップＳ４１のＮ）、前述の図１０の処理に移行し（ステップＳ４２）、一連の処理を終了する。このような初期状態にあるときは（ステップＳ４１のＹ）、前述のステップＳ２１〜Ｓ２５，Ｓ３１と同様の処理を実行し（ステップＳ４２〜Ｓ４７）、スタートキー１２ａが押下されることにより（ステップＳ４８）、特定カード３２と関連付けて不揮発性メモリ３１に登録されている操作の内容を読み取って、メイン制御装置７に送信する（ステップＳ４９）。
【００５３】
なお、ステップＳ２６，Ｓ２９，Ｓ３４などの“はい”“いいえ”の選択は、専用のキーを操作装置６のパネル上に設けておいてもいいし、例えば、テンキーの＃キー、＊キー等で代用することも可能である。
【００５４】
以上説明した実施の形態１，２において、図５〜図７，図１０、図１１のいずれの処理においても、操作内容毎にカード２１，３２の形状や色を変えるなどして、カード２１，３２の区別がより付きやすくするようにしてもよい。
【００５５】
また、カード２１，３２の記録方式はさまざまなものを用いることができる。前記の例では磁気カードとしたが、この他の例として、カード２１，３２の端部にはカード２１，３２毎に異なる櫛歯のような凹凸を形成し、カード識別部１８側にはカード２１，３２の凹凸に対応する位置に微細なスイッチを並べた構成として、スロット１９に挿入されたカード２１，３２の端部の凹凸で、この各スイッチがＯＮ／ＯＦＦされることにより、カード識別部１８でカード２１，３２に記録されている情報を読み取るようにすることなども当然可能である。
【００５６】
さらに、前述の例では、操作装置６はデジタル複写機１に用いられている例について説明したが、いうまでもなく本発明はこれに限定されるものではなく、各種プリンタ、スキャナ、ファクシミリなどの事務機器やその他の各種電子装置に適用することができる。
【００５７】
【発明の効果】
請求項１に記載の発明は、タッチパネル、ハードキーなどの手動操作を行うことなく装置の操作を実行することができ、目の不自由なユーザでも容易に装置の操作を行うことができる。
【００５８】
請求項２に記載の発明は、請求項１に記載の発明において、目の不自由なユーザが記録媒体の種類を誤ることがなく、また、記録媒体の種類をその形状や点字などにより触覚的に判別できない場合でも対応することができる。
【００５９】
請求項３に記載の発明は、請求項１又は２に記載の発明において、複数の記録媒体から必要な操作内容のものを選び出す煩雑な作業が不要となり、また、大量の記録媒体を保管するスペースも不要となる。
【００６０】
請求項４に記載の発明は、タッチパネル、ハードキーなどの手動操作を行うことなく装置の操作を実行することができ、目の不自由なユーザでも容易に装置の操作を行うことができる。また、その操作内容の情報は記録媒体からではなく本装置の記憶装置から読み出すので、記録媒体に記録するための専用の記録装置などを不要とし、また、これら記録媒体に記録した情報の破損にも対応できる。
【００６１】
請求項５に記載の発明は、請求項４に記載の発明において、記憶装置に記憶されている操作の内容を更新することができる。
【００６２】
請求項６〜８に記載の発明は、プリンタ、スキャナ、ファクシミリ、複写機などの各種電子装置に本発明の操作装置を適用することができる。
【図面の簡単な説明】
【図１】本発明の実施の形態１であるデジタル複写機の概略構成を示すブロック図である。
【図２】デジタル複写機の操作装置の電気的な接続のブロック図である。
【図３】操作装置の操作パネル面の平面図である。
【図４】操作装置に用いるカードの平面図である。
【図５】操作装置が実行する処理のフローチャートである。
【図６】操作装置が実行する処理の別例のフローチャートである。
【図７】操作装置が実行する処理の別例のフローチャートである。
【図８】本発明の実施の形態２であるデジタル複写機の操作装置の電気的な接続のブロック図である。
【図９】操作装置に用いる特定カードの平面図である。
【図１０】操作装置が実行する処理のフローチャートである。
【図１１】特定カードに登録する操作内容の例を示す説明図である。
【図１２】操作装置が実行する別の処理のフローチャートである。
【符号の説明】
１  電子装置、画像形成装置
２  画像入力装置
４  プリンタエンジン
１３  音声出力装置
１４  音声出力装置
１８  読取装置
【図１】
2004264971.tif 000003
【図２】
2004264971.tif 000004
【図３】
2004264971.tif 000005
【図４】
2004264971.tif 000006
【図５】
2004264971.tif 000007
【図６】
2004264971.tif 000008
【図７】
2004264971.tif 000009
【図８】
2004264971.tif 000010
【図９】
2004264971.tif 000011
【図１０】
2004264971.tif 000012
【図１１】
2004264971.tif 000013
【図１２】
2004264971.tif 000014